(57)【要約】      （修正有）【課題】注射器から流動可能な組成物を押し出す時に、制御された流量で適用できるようにする。【解決手段】注射器送達装置の一端部３８と係合するように形成され、基端部５４と末端部と内部を貫通する通路７０とを有するハブ６２と、ハブ６２の末端部６６に接続され、ハブ６２の通路７０と流体連通する内腔部７４を有するカニューレ６８と、カニューレ６８の内腔部の直径よりも小さくなった直径を有するハブ通路内の制限部７６とを有する。【選択図】図３Ａ
2004195238.tif 000002
【特許請求の範囲】
【請求項１】
注射器送達装置の一端部と係合するように形成され、基端部と末端部と内部を貫通する通路とを有するハブと、
前記ハブの末端部に接続され、ハブの通路と流体連通する内腔部を有するカニューレと、
前記カニューレの内腔部の直径よりも小さくなった直径を有するハブ通路内の制限部と、
を有することを特徴とする、注射器送達装置と一緒に使用されるようになった送達先端部。
【請求項２】
前記送達先端部が、注射器送達装置に選択的に連結可能になるように形成されたことを特徴とする請求項１記載の送達先端部。
【請求項３】
前記送達先端部が、注射器送達装置に一体的に接続されたことを特徴とする請求項１記載の送達先端部。
【請求項４】
前記制限部の直径が、カニューレ内腔部の直径の約７５％またはそれよりも小さいことを特徴とする請求項１記載の送達先端部。
【請求項５】
前記制限部の直径が、カニューレ内腔部の直径の約５０％またはそれよりも小さいことを特徴とする請求項１記載の送達先端部。
【請求項６】
前記制限部の直径が、カニューレ内腔部の直径の約２５％またはそれよりも小さいことを特徴とする請求項１記載の送達先端部。
【請求項７】
前記制限部は、ハブ通路に対して大体横方向に形成された壁を有し、該壁は、ハブ通路を貫通する最小直径を形成する貫通孔を有することを特徴とする請求項１記載の送達先端部。
【請求項８】
前記制限部の直径は、流体が流れる時の流体圧力の変化に拘わり無く一定であることを特徴とする請求項１記載の送達先端部。
【請求項９】
前記カニューレは、一定の直径を持った内腔部を有することを特徴とする請求項１記載の送達先端部。
【請求項１０】
前記カニューレは、制限部の直径よりも大きな最小直径を含む変化する直径を持った内腔部を有することを特徴とする請求項１記載の送達先端部。
【請求項１１】
前記カニューレ前記内腔部の一部を貫通して延びる複数個の繊維をさらに有することを特徴とする請求項１記載の送達先端部。
【請求項１２】
前記カニューレの外面に取り付けられた複数個の繊維をさらに有することを特徴とする請求項１記載の送達先端部。
【請求項１３】
基端部と末端部と内部を貫通する通路とを有するハブを、注射器送達装置に選択的に連結する連結手段を有するハブと、
ハブの末端部に接続され、ハブの通路と流体連通する内腔部を有するカニューレと、
カニューレの内腔部の直径よりも小さくなった直径を有するハブ通路内の制限部と、
を有することを特徴とする、注射器送達装置と選択的に連結するようにできる送達先端部。
【請求項１４】
前記連結手段は、ハブ通路の少なくとも一部内のリューエルテーパを有することを特徴とする請求項１３記載の送達先端部。
【請求項１５】
前記連結手段は、ハブの外面に配設された連結ねじを有することを特徴とする請求項１３記載の送達先端部。
【請求項１６】
前記制限部は、ハブ通路に対して大体横方向に形成された壁を有し、該壁は、ハブ通路に亘って最小直径を形成する貫通した孔を有することを特徴とする請求項１３記載の送達先端部。
【請求項１７】
前記基端部と末端部と内部に流体貯蔵部を形成する内面とを有する注射器胴部と、
注射器胴部の基端部に取り付けられた送達先端部と、
を有し、
前記先端部は、注射器胴部の基端部に一体的に取り付けられる基端部、末端部および内部を貫通する通路を有するハブと、ハブの末端部に接続されてハブの通路と流体連通する内腔部を有するカニューレと、カニューレの内腔部の直径よりも小さくなった直径を有するハブ通路内の制限部と、を有することを特徴とする、流体を蓄積して送達するように形成された注射器送達装置。
【請求項１８】
前記制限部の直径は、流体が流通する時に、流体圧力の変化に拘わらず一定に保たれていることを特徴とする請求項１７記載の注射器送達装置。
【請求項１９】
基端部と末端部と内部に流体容器を形成する内面とを有する注射器胴部と、
注射器胴部の基端部に取り付けられた送達先端部と、
を有し、
前記先端部は、注射器胴部の基端部に一体的に取り付けられる基端部、末端部および内部を貫通する通路を有するハブを、注射器胴部の基端部に選択的に連結する連結装置を有するハブと、ハブの末端部に接続されてハブ通路と流体連通する内腔部を有するカニューレと、カニューレの内腔部の直径よりも小さくなった直径を有するハブ通路内の制限部と、
を有することを特徴とする、流体を蓄積して送達するための注射器送達装置。
【請求項２０】
前記連結装置は、ハブ通路の少なくとも一部内の少なくとも１つのリューエルテーパ、またはハブの外面に設けられた連結ねじを有することを特徴とする請求項１９記載の注射器送達装置。
【発明の詳細な説明】
【技術分野】
【０００１】
本発明は、注射器に使用できるようになった注射器送達先端部に関するものである。特に、本発明は、注射器から流動可能な組成物を押し出す時に、制御された流量を設ける注射器送達先端部に係るものである。
【背景技術】
【０００２】
注射器装置は、医療の分野において良く知られている。特に、歯科産業において、注射器装置は、種々な歯科用組成物を送達するように一般的に使用されている。或る場合においては、歯科用組成物が制御された流量で、適用されることが所要されている。制御された流量は、再生可能な結果を許すので、歯科医または歯科技工士は、所要される量の歯科用組成物の押出しを生じるように必要とされる注射器プランジャにおける圧力の値を一層正確に予測することができる。
【発明の開示】
【発明が解決しようとする課題】
【０００３】
従来の送達先端部は、制御された流量を設けることができないので、同一値の圧力が同一の送達先端部に適用される時でも、変化した量の歯科用組成物が押し出される。さらに、歯科医または歯科技工士が、異なった寸法のカニューレのために同様な流量を所要するようにできても、異なった送達先端部における異なった寸法のカニューレは、異なった流量を生じる。
【０００４】
さらに、歯科処理において、患者の口の作業場所は、スペースの制限のために遠くなって到達が困難になってしまう。多くの歯科処理において、少量の個別の量の流体をこれらの場所に送達することが重要である。先に述べたように、特別な場所への流体の送達を制御することがしばしば困難になる。
【０００５】
図１Ａは、流量を制限するように形成された１つの従来技術の送達先端部を示している。図１Ａは、注射器の送達端部に係合するように形成された送達先端部１０を示している。送達先端部１０は、注射器に選択的に、あるいは恒久的に連結できる。送達先端部１０は、基端部１２と末端部１４とを有している。ハブ１６は、送達先端部１０の基端部１２に形成されている。カニューレ１８は、ハブ１６に取り付けられており、送達先端部１０の末端部１４にて終っている。カニューレ１８は、末端部１４に設けられた繊維２０の束を有している。繊維２０をカニューレ１８の末端部１４内に保持するために、カニューレ１８は、末端部１４の近くにて一般に締着されている。締着は、カニューレ１８の末端部１４を僅かに変形する１つまたは複数個の押込みから成っているので、繊維２０は末端部の中に固着して配置されている。
【０００６】
図１Ｂを参照するに、ハブ１６は、送達先端部１０が注射器に連結される時に、注射器の内部と流体連通する通路２２を有している。カニューレ１８は、内部に形成された内腔部２４を有している。通路２２は、カニューレ１８の内腔部２４と流体連通している。通路２２は、通路２２がカニューレ１８の内腔部２４に連結されるまで、ハブ１６の基端部から末端部にまで直径が一般的に小さくなっている。
【０００７】
カニューレ１８の内腔部２４内に設けられた繊維２０は、組成物の適用を助けると共に、カニューレ１８の末端部を閉鎖することによって流量を制限する付加的な特徴を設けている。繊維２０により設けられる流量制限部は、或る場合には有益となるが、カニューレ１８の末端部１４内の繊維の数や寸法および配置等の変化によって、先端部から先端部への流量を変える原因となる。カニューレ内径の変化は、同一寸法のカニューレにおいて締着を変えてしまう時に、流量に大いに影響を与えてしまう。このような変化は、目標となる場所に送達される歯科用組成物を、多過ぎたり、少な過ぎたりする等の、予測できない結果をもたらすようになる。従って、流量の変化は、所要される具合に特別な歯科処理を行うような歯科医や技工士の能力を妨げることになる。
【０００８】
以上を考慮して、改良された注射器送達装置のための技術が今日必要であり、特に、使用者に、組成物の送達における増大された制御が設けられるような具合に、一層制御された流量を提供するように形成された注射器送達先端部が必要とされる。
【課題を解決するための手段】
【０００９】
本発明は、流動する流体の流量を制御するように形成された送達先端部を有する注射器に一般的に関するものである。特に、本発明は、送達先端部のハブに制限部を設けることによって、送達先端部の末端部を通って押し出される流動可能な組成物の流量を制御することに注意が向けられている。本発明の送達先端部は、注射器送達装置に選択的に連結するか、あるいは一体的に取り付けるかのいずれにも形成できる。
【００１０】
本発明の送達先端部は、基端部と末端部とを概ね有しており、基端部がハブを形成していて、末端部がカニューレに終っている。通路がハブに形成されており、内腔部がカニューレに形成されていて、通路がカニューレの内腔部と流体連通している。ハブの通路は、送達先端部を流れる流体流量を制限し、かつ制御するように設計された制限部を有している。制限部は、通路の最小直径を、カニューレの内腔部の最小直径よりも小さくするようになす構成をなしている。従って、流体流量は、カニューレにおける内腔部の寸法によるよりも、制限部の寸法によって主に決められる。制限部は、ハブ内のどの場所にも配設することができる。
【００１１】
本発明の制限機構が、カニューレに関連して使用できることが意図されている。例えば、本発明のカニューレは、金属カニューレ、針、フロックカニューレ、中に配置された繊維を有するカニューレ、当業者に知られた他のカニューレとすることができる。
【００１２】
本発明のこれらおよび他の利点と特徴は、以下の説明と添付の請求の範囲とから、一層十分に明らかになるであろうし、また、以下に記載されるように本発明の実施例によって理解することができる。
【００１３】
本発明の上記および他の利点と特徴を一層明白にするために、本発明のより詳細な説明が、添付された図面に示されている特別な実施例に対する説明によって行われよう。これら図面は、本発明の代表的な実施例を示すだけのもので、本発明の範囲を制限するものではないことが理解される。本発明が、添付図面の使用において付加的な特異性と詳細とをもって記述、説明されよう。
【発明の効果】
【００１４】
本発明に依れば、送達先端部は、歯科用組成物の制御された量を適用することができるもので、カニューレの製作時に、制限部を有する同一のハブと交換することができ、制限部が同一である限りは、異なった形式乃至は寸法のカニューレが使用されるにも拘わらず、同一の流量が各送達先端部において得られる。
【発明を実施するための最良の形態】
【００１５】
本発明の送達先端部は、注射器送達装置の一端部と係合するように形成され、基端部と末端部と内部を貫通する通路とを有するハブと、ハブの末端部に接続され、ハブの通路と流体連通する内腔部を有するカニューレと、カニューレの内腔部の直径よりも小さくなった直径を有するハブ通路内の制限部とを有するものであり、また、本発明の注射器送達装置は、上記送達先端部を有することを特徴とする。
【実施例】
【００１６】
本発明は、流動する流体物質の流れを制御するように形成された注射器送達装置の送達先端部に関するものである。本発明の各実施例において、送達先端部は、注射器から延び、または注射器の出口に係合するように形成されている。本発明の送達先端部は、注射器に一体的に接続するか、あるいは注射器に選択的に連結するかのいずれにもできる。本発明の範囲を説明するための情況を設けるために、幾つかの用語が、ここに規定される。
【００１７】
本書中に使用されるように、用語“組成物”は、注射器を介して付与するようにできる流体物質または物質の流体組成物を言うものである。例により、かつ制限されないで、ここに言う組成物は、有機および合成組成物と共に、水および溶剤を基本とした組成物を含んでいる。用語“組成物”および“流体物質”は、ここに交換可能に使用されるが、組成物および流体物質が特別な粘度を有するように制限されないことが明らかであろう。さらに、流体物質の粘度は、異なった必要性と選択に適合するように変えることができる。
【００１８】
ここに規定されるように、用語“ハブ”は、カニューレが直接的に取り付けられる接続部分を言う。ハブは、注射器と一体的に作ることができるし、また別体に作ることもできる。注射器の一部として一体的に作られる時に、ハブは、注射器の一部として形成されて、カニューレが取り付けられて、プランジャが選択的に前進または引き込めるようにできる注射器の一部として作られる。
【００１９】
ここに規定されるように、用語“カニューレ”は、先端部、チューブ、針、および流体物質を付与するよう形成された他の付与装置を言うものであり、流体物質が流れるようにできる少なくとも中空または凹形の部分を含む特性によって特徴付けられている。また、カニューレは、ハブによって注射器に取り付けられることにより特徴付けられている。
【００２０】
ここに規定されるように、用語“合致する係合形成”は、窪み、隆起部、突部、穴、ラッチ、クリップ、ノブ、ピン、スロット、タブ、そして、連結、結合、合致、ロックまたは他の摩擦係合するように形成された孔を含むが、これに制限されることが無く、係合形成の組合せを言うものである。
【００２１】
いま、図２に関して、模範的な注射器送達システムが示されており、本発明の特徴と協働する送達先端部と係合可能である。本発明の送達先端部が、従来周知の注射器送達装置と一緒に使用できることが理解されよう。従って、以下に例として説明されるが、これに制限されるものではない。
【００２２】
図２に示されるように、注射器３０は、送達先端部５２と係合可能である。注射器３０は、プランジャ３４を中に受けるように形成された胴部３２を有しており、両部材が互いに協働するように寸法が決められ、形成されている。胴部３２は、基端部３６と末端部３８とを有する細長い管状本体から成っている。胴部３２は、胴部３２内に流体貯蔵部を形成する内面３１を有している。従って、胴部３２は、胴部３２内に配置された組成物３３を貯蔵して送達するように形成されている。プランジャ３４は、細長い軸部４６と弾性シールプラグ４７とを有している（図２、図３Ｃ）。
【００２３】
図２は、胴部３２の末端部３８が、送達先端部５２と係合するように形成されていることを示している。図３Ａに示されるように、胴部３２の末端部３８において、環状肩部４０が、胴部３２の回りに横方向に延びている。細長い中空の頸部４２が環状肩部４０からほぼ垂直に延びている。頸部４２の内径は、導管４４を形成している。従って、導管４４は、胴部３２と流体連通している。
【００２４】
送達先端部５２がさらに詳細に以下に説明されよう。図２に示されるように、送達先端部５２は、基端部５４と末端部５６とを有している。送達先端部５２の基端部５４は、胴部３２の末端部３８に接続するようにできる。図３Ａおよび図３Ｂに明示されるように、胴部３２の頸部４２は、送達先端部５２の基端部５４に形成された対応するリューエルテーパ面７２と係合するリューエルテーパ面４３を有するように形成することができる。胴部３２と送達先端部５２とのリューエルテーパ面４３、７２は、それぞれ送達先端部５２を胴部３２に取り付けるための連結装置の作用を行うことができる構造の１つの例である。連結装置の種々な他の実施例が、その意図された作用を行うのに等しく有効である。例により、かつこれに制限されること無く、上記のように規定される、合致した係合形成は、連結装置として使用できる。
【００２５】
図３Ｃの別の実施例において、送達先端部５２は、射出成形、接着または他の一体的な接続によって、胴部３２の末端部３８に一体的に取り付けられる代わりとすることができる。送達先端部５２が胴部３２と一体的に形成される場合に、送達先端部５２の基端部５４は、注射器３０の胴部３２の末端部３８と合体される。図３Ｃに示される実施例に示されるように、送達先端部５２の基端部５４は、環状肩部４０で終わっている。
【００２６】
図３Ａに戻って、送達先端部５２が、詳細な断面図に示されている。送達先端部５２は、ハブ６２を有しており、このハブ６２は、ハブ６２に取り付けられるカニューレ６８を有している。ハブ６２は、基端部６４と末端部６６とを有している。ハブ６２の末端部６６は、カニューレ６８と係合するように形成されている。上記に検討するように、ハブ６２は、胴部３２の末端部３８と係合するように形成されている。図２に示されるように、ハブ６２は、形状がほぼ円筒状であるが、しかしながら、他の断面形状が等しく適用することができる。ハブ６２の末端部６６において、環状肩部６７がハブ６２を囲んで横方向に延びている。カニューレ６８が、ハブ６２の環状肩部６７に係合する。一実施例において、後にさらに詳細に説明されるように、カニューレ６８を他のカニューレと交換できるような具合に、ハブ６２がカニューレ６８に選択的に連結される。代わりに、ハブ６２が、カニューレ６８に一体的に接続されるようにできる。ハブ６２は、これに限定されないで、上記に規定された、合致する係合形成を含む種々な具合にカニューレ６８に取り付けることができる。
【００２７】
ハブ６２は、貫通して設けられた通路７０を有している。通路７０は、内面７２を有しており、その一部が、これら実施例での胴部３２の頸部４２の対応する面４３と水密に合致するように形成することができ、該実施例においては、送達先端部５２が胴部３２に選択的に連結される。通路７０が、リューエル接続の一部を形成しているこれら実施例において、通路７０は、実質的にテーパの付いた面７２を有しているが、しかしながら、種々な必要、または注射器３０の設計の優先性に基づいて、他の断面形状が適用することができる。通路７０がテーパになっている度合と、通路７０が実際にテーパになっている場所は、大部分が、胴部３２における対応する連結構造の形状に基づくようになろう。ハブ６２が胴部３２に係合される時に、胴部３２からの組成物３３（図２）が胴部３２を通って流れることができるように、通路７０は、導管４４と流体接続されている。
【００２８】
図３Ａおよび図３Ｂに示されるように、カニューレ６８は、カニューレ６８を貫通するように形成された内腔部７４を有している。内腔部７４は、組成物３３がカニューレ６８を通って流れるのを許すように、ハブ６２の通路７０と流体連通している。内腔部７４は、大体円形の断面を有するように示されているが、しかしながら、他の断面形状が可能であり、かつ送達先端部５２の設計における種々な必要性または優先度に基づいて、選択することができる。加えて、幾つかの実施例においては、内腔部７４は、カニューレ６８の基端部から末端部に向ってテーパを付けることができる。内腔部７４は、最小直径ＤＬを有するように示されており、図３Ａの実施例においては、内腔部７４の最も末端の端部におけるようになっている。しかしながら、内腔部７４の最小直径ＤＬが、カニューレ６８に沿ったいずれの部分をとるようにできることが理解されよう。
【００２９】
図３Ａと図３Ｃとに関して、制限部７６が、ハブ６２の通路７０に形成されている。制限部７６は、最小直径ＤＲが、カニューレ６８の内腔部７４の最小直径ＤＬよりも小さい直径である最小直径ＤＲを通路７０が有するようになった構成である。一実施例において、制限部７６は、ハブ６２の通路７０に対して大体横方向に形成された壁８０を有している。壁８０は、直径ＤＲを有するように壁８０に形成された孔８２を有しており、この直径ＤＲは、ほぼ一定であって、孔８２を通って流れる流体の圧力の変化に応答して変化しないものである。制限部７６は、機械的接続または射出成形によって、ハブ６２と一緒に形成できる。
【００３０】
制限部７６が、ハブ６２の通路７０に沿ったどこの場所にも形成できることが理解されよう。図３Ａの実施例において、壁８０は、ハブ６２の末端部６６に形成されている。代わりに、図３Ｂの実施例においては、壁８０は、ハブ６２の基端部６４と末端部６６との間に形成されている。この実施例において、壁８０は、通路７０を分岐しており、通路７０が壁８０の両側から延びている。別の実施例（図示しない）においては、制限部７６は、制限部７６の最小直径ＤＲが同一直径で貫通するように、ハブ６２の通路７０全体に亘って形成することができる。
【００３１】
有意義なことに、制限部７６の最小直径ＤＲは、カニューレ６８の内腔部７４の最小直径ＤＬよりも小さい。一実施例において、直径ＤＲは、直径ＤＬの７５％か、あるいはそれ以下である。別の実施例では、直径ＤＲは、直径ＤＬの５０％か、またはそれ以下である。さらに別の実施例においては、直径ＤＲは、直径ＤＬの２５％か、あるいはそれ以下である。一実施例において、孔８２は、約０.１ｍｍから約２ｍｍまでの直径ＤＲを有している。直径ＤＲが直径ＤＬよりも常に小さいために、直径ＤＲは、カニューレ６８を流れる流体の流量を調整する主要な制御要因である。
【００３２】
以上から、カニューレ６８の内腔部７４の直径に拘わらず、カニューレ６８の内腔部７４を流通する一定流量を維持するための手段を設けていることが理解されよう。プランジャ３４に作用される圧力が、流量をまた制御できる場合に、制限部７６は、カニューレ６８の内腔部７４から流出する一定流量を維持するための主要な機構を設けている。従って、流体が胴部３２を通り、導管４４を経てハブ６２の通路７０内へと流れる時に、制限部７６は、胴部３２と流体連通する主要な、または単一の制限機構となる。
【００３３】
カニューレ６８の幾つかの実施例が、流体の流量を制限するように設計された形状（繊維が埋設された内腔部７４のような）を有するようにできる場合に、カニューレ６８の末端部に到達する前に、ハブ６２内の制限部７６によって、流体の流量が最初に制御されることが認識されるであろう。すなわち、制限部７６は、カニューレ６８から流出する流量を最初に規制する。
【００３４】
上記に検討したように、ハブ６２は、カニューレ６８と係合するように形成されている。カニューレ６８は、ハブ６２と一体的に形成できるし、あるいは、ハブ６２と選択的に連結したり、または選択的に交換したりすることができる。ハブ６２がカニューレ６８に選択的に連結できる場合に、ハブ６２に選択的に連結されるカニューレ６８の直径に拘わり無く、一定の流量が設けられるように、ハブ６２が、制限部７６を既に有していることが理解されるであろう。
【００３５】
図４Ａ乃至図４Ｃにいま戻って、本発明の送達先端部に使用できるカニューレの種々な実施例が示されている。図４Ａ乃至図４Ｃのカニューレ５２ａ乃至５２ｃが、本発明に使用できて、かつどのようにも制限しないよう理解されるカニューレの単なる例示であることが理解されるであろう。図４Ａは、針として形成されたカニューレ６８ａを有する送達先端部５２ａを示している。図４Ｂは、カニューレ６８ａの末端部に配置された複数個の繊維を有する先端が曲がった、すなわち彎曲したカニューレ５２ｂを示している。図４Ｃは、カニューレ６８ｃがその端部に、束になった繊維を有する送達先端部５２ｃを示している。
【００３６】
意義的に、図４Ａ乃至図４Ｃは、異なった形式のカニューレが、カニューレを流れる流体の流量を制御するように形成された同一のハブ６２を有するようにできることを示している。従って、一実施例において、カニューレ６８ａ乃至６８ｃが、製作の際に制限部７６を有する同一のハブ６２と交換することができる。この実施例において、制限部７６が同一である限りは、異なった形式および／または寸法のカニューレが使用されるにも拘わらず、同一の流量が各送達先端部５２ａ乃至５２ｃにおいて示されることが理解されるであろう。
【００３７】
本発明は、その精神または実質的な特徴を逸脱することなく、他の特別な形態に実施することができる。説明された実施例は、すべての点で、単に例示されるだけで、制限されないことが考慮されるべきである。本発明の範囲は、従って、以上の説明によるよりも、添付の請求の範囲によって示されている。全ての変更が、請求の範囲の同等の意味するところと範囲の内に含まれるものである。
【産業上の利用可能性】
【００３８】
本発明は、注射器等の送達先端部に適用できるものである。
【図面の簡単な説明】
【００３９】
【図１Ａ】ハブと、先端部に繊維の束が設けられたカニューレとを有する従来における放出先端部を示す概要図である。
【図１Ｂ】図１Ａの送達先端部の断面図である。
【図２】本発明の送達先端部の実施例と係合するように形成された注射器送達装置の分解図である。
【図３Ａ】本発明に従った送達先端部の一実施例の断面図である。
【図３Ｂ】本発明に従った送達先端部の別の実施例の断面図である。
【図３Ｃ】送達先端部が注射器の胴部と一体的に形成された本発明の送達先端部の実施例の断面図である。
【図４Ａ】針を有する本発明の送達先端部を示す図である。
【図４Ｂ】カニューレの先端部を通って繊維が設けられたカニューレを有する本発明に従った送達先端部を示す図である。
【図４Ｃ】繊維の束になった端部のあるカニューレを有する本発明に従った送達先端部を示す図である。
【符号の説明】
【００４０】
３０    注射器
３２    胴部
３３    組成物
３４    プランジャ
３６    基端部
３８    末端部
４０    環状肩部
４２    頸部
４３    リューエルテーパ面
４４    導管
４６    軸部
４７    弾性シールプラグ
５２    送達先端部
５４    基端部
５６    末端部
６２    ハブ
６４    基端部
６６    末端部
６８    カニューレ
７０    通路
７２    リューエルテーパ面
７４    内腔部
７６    制限部
８０    壁
８２    孔
【図１Ａ】
2004195238.tif 000003
【図１Ｂ】
2004195238.tif 000004
【図２】
2004195238.tif 000005
【図３Ａ】
2004195238.tif 000006
【図３Ｂ】
2004195238.tif 000007
【図３Ｃ】
2004195238.tif 000008
【図４Ａ】
2004195238.tif 000009
【図４Ｂ】
2004195238.tif 000010
【図４Ｃ】
2004195238.tif 000011